(57)【特許請求の範囲】
【請求項１】
地下埋設式補修弁の開閉状態を表示するための弁体開閉表示装置であって、弁箱から突出させた弁軸に弁体開閉レバーの基端部を固着するとともに、前記弁体開閉レバーは、前記基端部から弁軸径方向に延出したレバー部と、該レバー部の中間部からレバー部の両側へそれぞれ突出する、弁体開閉レバーを間接的に操作する操作部材を係合させるための操作部材係合部とを有し、弁体の開閉方向を表示する表示部を弁軸を中心として径方向に突出させ、かつ、その突出量を前記弁体開閉レバーの長さ以下にしたことを特徴とする弁体開閉表示装置。
【請求項２】
前記表示部は、前記弁体開閉レバーに一体的に設けられていることを特徴とする請求項１記載の弁体開閉表示装置。
【請求項３】
前記表示部は、開弁時に流体流れ方向に対して平行になるように設けられ、かつ、開弁時に流体流れ方向下流側に突出する表示部を矢印形状としたことを特徴とする請求項１記載の弁体開閉表示装置。
【請求項４】
前記弁体開閉レバーは、開弁状態におけるレバー回動位置と、閉弁状態におけるレバー回動位置とが、前記弁軸を中心とする鉛直線に対して対称位置にあるように弁軸に装着されていることを特徴とする請求項１記載の弁体開閉表示装置。
【請求項５】
地下埋設式補修弁の開閉状態を表示するための弁体開閉表示装置であって、弁箱から突出させた一方の弁軸に弁体開閉手段を設けるとともに、前記弁体開閉レバーは、前記基端部から弁軸径方向に延出したレバー部と、該レバー部の中間部からレバー部の両側へそれぞれ突出する、弁体開閉レバーを間接的に操作する操作部材を係合させるための操作部材係合部とを有し、弁箱から突出させた他方の弁軸に弁体の開閉方向を表示する表示部を弁軸を中心として径方向に突出させたことを特徴とする弁体開閉表示装置。
【請求項６】
前記操作部材係合部は、前記レバー部の中間部からレバー部先端方向に対して４５度の開き角度で突出していることを特徴とする請求項１乃至５のいずれか１項に記載の弁体開閉表示装置。
【発明の詳細な説明】
【０００１】
【発明の属する技術分野】
本発明は、弁体開閉表示装置に関し、詳しくは、地下式消火栓や水道用空気弁の補修弁に使用されるボール弁等の開閉状態を表示するための弁体開閉表示装置に関する。
【０００２】
【従来の技術】
例えば、地下式消火栓や水道用空気弁等は、水道管路から立ち上がった分岐管に補修弁（副弁）を介して装着されている。この補修弁は、消火栓本体部や空気弁本体部の保守作業等を行う際に閉じられるものであって、通常は開弁状態となっており、保守作業等を行う際に閉じるようにしている。
【０００３】
このような補修弁には、弁体を水平軸を中心として９０度回動させることにより開閉を行うボール弁が多く用いられており、その開閉操作は、該ボール弁に装着した弁体開閉用レバーを操作して行うようにしている。
【０００４】
このような弁体開閉用レバーとして、例えば特許第２５３２１４０号公報に記載されたものが知られている。この公報に記載された弁体開閉用レバーは、従来の弁体開閉用レバーが直線状であったのに対し、くの字状に屈曲させた弁体開閉用レバーを使用することにより、レバー先端部の方向で弁体の開状態、閉状態を認識できるようにしている。
【０００５】
【発明が解決しようとする課題】
しかし、くの字状に屈曲させた弁体開閉用レバーは、レバー先端部が鉛直方向を向いたときに開弁状態、水平方向を向いたときに閉弁状態をそれぞれ示すようにしているため、閉弁状態でのレバー先端部の位置が通常のものに比べて深い位置になってしまい、例えば開弁時にはレバー先端部に手が届くが、閉弁位置のレバーには手が届かないというような、レバーの操作性に大きな問題が発生することがある。
【０００６】
さらに、レバー先端部が水平方向を向いたときには、その先端がボール弁等の側方から水平方向に大きく突出した状態になってしまうため、一般的な弁ボックス（マンホール）の中心にボール弁等を設置する場合は、レバー先端部の突出分を吸収できるだけの大型の弁ボックスが必要となってしまい、コストが大幅に上昇する問題が発生する。また、弁ボックスを小型化するためにボール弁等を弁ボックスの一側に片寄せて偏心配置することもできるが、この場合は、立上がり管の軸線と弁ボックスの中心軸とがずれた状態になるため、施工の際には、レバー先端部の突出方向、即ちボール弁等の取付け方向に十分な注意が必要となり、施工性を悪化させる原因となる。
【０００７】
そこで本発明は、弁体を開閉する際の操作性を損なわず、施工性も損なわずに、弁の開閉状態を容易に確認することができる弁体開閉表示装置を提供することを目的としている。
【０００８】
【課題を解決するための手段】
上記目的を達成するため、本発明の弁体開閉表示装置は、地下埋設式補修弁の開閉状態を表示するための弁体開閉表示装置であって、弁箱から突出させた弁軸に弁体開閉レバーの基端部を固着するとともに、前記弁体開閉レバーは、前記基端部から弁軸径方向に延出したレバー部と、該レバー部の中間部からレバー部の両側へそれぞれ突出する、弁体開閉レバーを間接的に操作する操作部材を係合させるための操作部材係合部とを有し、弁体の開閉方向を表示する表示部を弁軸を中心として径方向に突出させ、かつ、その突出量を前記弁体開閉レバーの長さ以下にしたことを特徴としている。
【０００９】
さらに、前記表示部が前記弁体開閉レバーに一体的に設けられていること、前記表示部が、開弁時に流体流れ方向に対して平行になるように設けられ、かつ、開弁時に流体流れ方向下流側に突出する表示部を矢印形状としたことを特徴としている。また、前記弁体開閉レバーが、開弁状態におけるレバー回動位置と、閉弁状態におけるレバー回動位置とが、前記弁軸を中心とする鉛直線に対して対称位置にあるように弁軸に装着されていることを特徴としている。さらにまた、前記操作部材係合部は、前記レバー部の中間部からレバー部先端方向に対して４５度の開き角度で突出していることを特徴としている。
【００１０】
また、弁体開閉表示装置の別の構成は、地下埋設式補修弁の開閉状態を表示するための弁体開閉表示装置であって、弁箱から突出させた一方の弁軸に弁体開閉手段を設けるとともに、前記弁体開閉レバーは、前記基端部から弁軸径方向に延出したレバー部と、該レバー部の中間部からレバー部の両側へそれぞれ突出する、弁体開閉レバーを間接的に操作する操作部材を係合させるための操作部材係合部とを有し、弁箱から突出させた他方の弁軸に弁体の開閉方向を表示する表示部を弁軸を中心として径方向に突出させたことを特徴としている。また、前記操作部材係合部は、前記レバー部の中間部からレバー部先端方向に対して４５度の開き角度で突出していることを特徴としている。
【００１１】
【発明の実施の形態】
図１乃至図３は、本発明の弁体開閉表示装置の一形態例を示すもので、図１は弁体開閉表示装置を設けたボール弁の開状態を示す正面図、図２は同じく閉状態を示す断面側面図、図３は弁体開閉表示装置を一体形成した弁体開閉用レバーの正面図である。
【００１２】
まず、図１及び図２に示すように、ボール弁１０は、半球形状の弁体１１と、該弁体１１を収納する弁箱１２とにより形成されている。弁箱１２は、下部開口１３及び上部開口１４を有するとともに、高さ方向中間部の対向する壁面に弁軸挿入孔１５をそれぞれ有しており、前記弁体１１は、両弁軸挿入孔１５に流路軸線を横切る水平方向に挿入された主弁軸１６及び副弁軸１７により、弁箱１２内で回動可能に支持されている。弁体１１には、上部開口１４に対応した開口部１８と、上部開口１４を閉塞する閉塞部１９とが設けられており、弁体１１を回動させて開口部１８を上部開口１４に合致させることによって全開状態となり、閉塞部１９で上部開口１４を閉塞することにより全閉状態となる。
【００１３】
このように、水平方向の弁軸１６，１７を中心に弁体１１を回動させて開閉を行う弁に設けられる弁体開閉表示装置２０は、図３に示すように、弁体１１を開閉方向に回動させるための弁体開閉用レバー２１に一体的に形成されている。弁体開閉用レバー２１は、弁箱１２から突出した主弁軸１６の先端部に固着されるレバー基端部２２と、該レバー基端部２２から弁軸径方向に延出したレバー部２３と、弁体開閉レバー２１を間接的に操作する操作部材２４を係合させるための操作部材係合部２５ａ，２５ｂとを有するもので、弁体開閉表示装置２０は、前記レバー基端部２２から弁軸径方向の両側対称位置に突出した小突片からなる表示部２０ａ，２０ｂにより形成されている。
【００１４】
前記弁体開閉用レバー２１は、レバー部２３を、図１に実線で示すように、正面向かって左側に鉛直線から４５度回動させたときに開弁状態となり、図１に想像線で示すように、レバー部２３を、正面向かって右側に鉛直線から４５度回動させたときに閉弁状態となるように位置決めされている。すなわち、弁体開状態におけるレバー部２３の回動位置と、弁体閉状態におけるレバー部２３の回動位置とが、前記主弁軸１６を中心とする鉛直線に対して対称位置になるように設定されている。
【００１５】
前記開閉表示部２０は、レバー部２３が開弁状態にあるときには、図１に実線で示すように、表示部２０ａ，２０ｂが鉛直方向を向き、レバー部２３が閉弁状態にあるときには、図１に想像線で示すように、表示部２０ａ，２０ｂが水平方向を向くように設けられている。表示部２０ａ，２０ｂの突出量は、十分な視認性が得られれば任意であるが、大きくし過ぎると弁箱側方に大きく突出してしまうので、最大でも弁体開閉用レバー２１の長さ以下、特に、レバー部２３の側方への突出範囲内に納めることが好ましい。
【００１６】
前記操作部材係合部２５ａ，２５ｂは、レバー部２３の中間部からレバー部先端方向に対して４５度の開き角度で突出しており、その先端部形状は、レバー部２３の先端部形状と同じ形状に形成されている。この操作部材係合部２５ａ，２５ｂは、ボール弁１０が比較的深い位置に埋設されている場合に、例えばパイプ状の前記操作部材２４をレバー部２３の先端及び操作部材係合部２５ａ，２５ｂに所定の順序で係合させ、弁体開閉用レバー２１を所定の方向に順次回動させることにより、例えば、３０度ずつ３回に分けてそれぞれ回動させることにより、ボール弁１０の開閉を行えるようにしている。
【００１７】
図４及び図５は、弁体開閉表示装置２０を設けた上記ボール弁１０を、弁ボックス３０内に設置された地下式消火栓３１の補修弁として使用した例を示すもので、図４は開弁状態を、図５は閉弁状態をそれぞれ示している。
【００１８】
まず、図４は、弁体１１の開口部１８が弁箱１２の上部開口１４に合致した開位置にある通常使用時の開弁状態を示している。したがって、弁体開閉用レバー２１のレバー部２３は左側に４５度傾斜しており、開閉表示装置２０の表示部２０ａ，２０ｂは鉛直方向を向いている。
【００１９】
この状態で弁体開閉用レバー２１のレバー部２３を直接手で操作して、あるいは、図に想像線で示すように、右側の上方を向いている操作部材係合部２５ａに操作部材２４の下端を係合させて弁体開閉用レバー２１を所定量回動させ、次に、操作部材２４をレバー部２３に、さらに、操作部材２４を左側の操作部材係合部２５ｂに順次係合させて回動させることにより、図５に示す閉弁状態となる。
【００２０】
図５に示す閉弁状態では、弁体１１の閉塞部１９が弁箱１２の上部開口１４を閉塞した閉じ位置となり、レバー部２３が右側に４５度傾いた位置、開閉表示装置２０の表示部２０ａ，２０ｂが水平方向を向いた状態となる。
【００２１】
したがって、弁ボックス３０の上部開口から覗いたときに、開閉表示装置２０の表示部２０ａ，２０ｂが鉛直方向を向いていてほとんど見えない状態のときには開弁状態であることを、表示部２０ａ，２０ｂが水平方向を向いていて上方から視認できるときには閉弁状態であることを、弁ボックス３０の上方からそれぞれ容易に確認することができる。また、表示部２０ａ，２０ｂに適宜な着色や光沢処理を施して視認性を向上させることもできる。
【００２２】
図６は開閉表示装置の他の形状例を示すボール弁の正面図、図７及び図８は該開閉表示装置を設けたボール弁を弁ボックス内に設置された地下式消火栓の補修弁として使用した例を示すもので、図７は開弁状態を、図８は閉弁状態をそれぞれ示している。なお、以下の説明において、前記形態例の構成要素と同一の構成要素には同一の符号を付して詳細な説明は省略する。
【００２３】
本形態例に示す開閉表示装置２６は、前記形態例と同様に、弁体開閉用レバー２１のレバー基端部２２から弁軸径方向の両側対称位置に小突片からなる表示部２６ａ，２６ｂを突出させるとともに、開弁時に流体流れ方向下流側を向く表示部２６ａの先端に矢印形状部２６ｃを設けたものである。このような矢印形状部２６ｃを設けておくことにより、ボール弁１０における流体の流れ方向を確認することができ、開弁状態であることをより容易に認識できる。
【００２４】
なお、本形態例では、弁軸を中心に弁体を回動させて開閉を行う弁としてボール弁を例示したが、他の形式の弁、例えばバタフライ弁等にも適用が可能である。また、表示部は、レバー基端部に一体成形することによって部品点数の削減やコスト低減が図れるが、別部材をボルト等で固着するようにしてもよい。
【００２５】
さらに、図９に示すように、弁箱１２から主弁軸１６及び副弁軸１７をそれぞれ突出させ、主弁軸１６に弁体開閉レバー４１を設けるとともに、副弁軸１７に開閉表示装置４２を設けるようにすることもできる。この場合、主弁軸１６には、弁体開閉レバー４１以外の弁体開閉手段、例えばギア方式のものを装着することも可能である。
【００２６】
また、通常の弁体開閉レバーは、レバー部が基端部から直線状に延びているため、開閉表示装置を設ける際には、開閉表示装置がレバー部の陰に隠れて見えなくならないように、レバー部に対してオフセットさせておくことが好ましいが、例えば図１０に示すように、レバー部４３の先端側４３ａが外方にオフセットしている場合は、開閉表示装置４４はレバー基端部４５から放射状（径方向）に設けることができる。
【００２７】
さらに、開閉表示装置は、開状態、閉状態の両方を視認させることが好ましいが、開状態のみ、あるいは閉状態のみを視認できるように形成しておくこともできる。例えば、図１０の場合のように、閉状態では開閉表示装置４４がレバー基端部４５から突出しているのが弁ボックス上方から視認できるが、開状態では、図１１及び図１２に示すように、開閉表示装置４４が弁ボックス上方からは視認が困難な状態となっていてもよい。また、図１３に示す開閉表示装置４６のように、閉状態でレバー基端部４５の側方に突出し、開状態では想像線で示すようにレバー基端部４５の下方に隠れるような形状であってもよい。
【００２８】
【発明の効果】
以上説明したように、本発明の弁体開閉表示装置によれば、弁体の開閉操作を損なわず、また、設置性も損なうことなく、ボール弁等の開閉状態を容易に確認することができる。
【図面の簡単な説明】
【図１】  弁体開閉表示装置を設けたボール弁の開状態を示す正面図である。
【図２】  同じく閉状態を示す断面側面図である。
【図３】  弁体開閉表示装置を一体形成した弁体開閉用レバーの正面図である。
【図４】  弁ボックス内に設置した地下式消火栓の補修弁として弁体開閉表示装置付きのボール弁を使用したときの開弁状態を示す正面図である。
【図５】  同じく閉弁状態を示す正面図である。
【図６】  開閉表示装置の他の形状例を示すボール弁の正面図である。
【図７】  他形状の弁体開閉表示装置を設けたボール弁を地下式消火栓の補修弁として使用したときの開弁状態を示す正面図である。
【図８】  同じく閉弁状態を示す正面図である。
【図９】  副弁軸に開閉表示部を設けた例を示す概略側面図である。
【図１０】  開閉表示装置のさらに他の形状例を示す閉状態の概略平面図である。
【図１１】  同じく開状態の概略正面図である。
【図１２】  同じく開状態の概略平面図である。
【図１３】  開閉表示装置のさらに他の形状例を示す閉状態の概略正面図である。
【符号の説明】
１０…ボール弁、１１…弁体、１２…弁箱、１３…下部開口、１４…上部開口、１５…弁軸挿入孔、１６…主弁軸、１７…副弁軸、１８…開口部、１９…閉塞部、２０…開閉表示装置、２０ａ，２０ｂ…表示部、２１…弁体開閉用レバー、２２…レバー基端部、２３…レバー部、２４…操作部材、２５ａ，２５ｂ…操作部材係合部、２６…開閉表示装置、２６ａ，２６ｂ…表示部、３０…弁ボックス、３１…地下式消火栓、４１…弁体開閉レバー、４２…開閉表示装置、４３…レバー部、４４…開閉表示装置、４５…レバー基端部、４６…開閉表示装置
【図１】
0004426705.tif 000002
【図２】
0004426705.tif 000003
【図３】
0004426705.tif 000004
【図４】
0004426705.tif 000005
【図５】
0004426705.tif 000006
【図６】
0004426705.tif 000007
【図７】
0004426705.tif 000008
【図８】
0004426705.tif 000009
【図９】
0004426705.tif 000010
【図１０】
0004426705.tif 000011
【図１１】
0004426705.tif 000012
【図１２】
0004426705.tif 000013
【図１３】
0004426705.tif 000014